(57)【特許請求の範囲】
【請求項１】
気密ラインが障子の室内側に設けられている窓枠と、
前記窓枠に配置され、且つ、障子の障子かまちに対向する網戸収納部と、
前記網戸収納部と前記障子かまち間に配置される移動かまちと、
前記網戸収納部に収納され、且つ、前記移動かまちに先端側が取付けられた網目部材と、
前記移動かまちの走行範囲に対応させ、且つ、窓枠の上枠に設けられる走行ガイド部を備え、
前記網目部材の上下端は、上下枠との間に隙間をもって、且つ、前記走行ガイド部及び下レールと上下枠の気密材取付ヒレ間に位置されることを特徴とするサッシ窓。
【請求項２】
前記移動かまちは、前記障子かまちの移動に追随可能であることを特徴とする請求項１のサッシ窓。
【請求項３】
前記網目部材が開幕される場合に、その上下端に対向しつつ前記隙間を塞ぐことができる虫除け材を上下枠に備えたことを特徴とする請求項１または２に記載のサッシ窓。
【発明の詳細な説明】
【技術分野】
【０００１】
本発明は、網戸装置を組込んだサッシ窓に関する。
【背景技術】
【０００２】
従来から、解錠状態の内外障子に気密材が接することなく、内外障子が走行し易くなっている引寄せタイプのサッシ窓が知られている。
この引寄せタイプのサッシ窓に網戸を配置する場合には、窓枠の障子の室外側に網戸を配置することが一般的であった。
例えば、引寄せタイプのサッシ窓を開示している特許文献１では、網戸は図示されていないものの、その図３のように外障子の室外側に網戸用のスペースが設けられ、外障子が走行する窓枠の上枠には、外障子の網戸に対するブレを防ぐヒレが配置されている。
【特許文献１】特開２００１−１７３３１０
【発明の開示】
【発明が解決しようとする課題】
【０００３】
しかし、特許文献１のサッシに網戸を付ける場合には、窓枠の見込み幅が膨らみコンパクト性に欠けること、網戸枠にネットが張られたままであることからネットが汚れる易いこと、網戸枠の開閉と障子の開閉が別々であるため使い勝手が煩雑であるというデメリットのほか、たて枠にフィンが突設されていて、内外障子と窓枠間に、カセット式のロール網戸を配置できないという問題点があった。
【０００４】
そこで、本願発明は、上記課題を解決するためになされたもので、引寄せタイプのサッシ窓に最適な網目部材を組合わせると共に、網目部材の開閉と障子の開閉を連動させて使い勝手が良いサッシ窓とすること、その他網目部材の防虫対策、風圧対策が施されるサッシ窓を提供することを目的とする。
【課題を解決するための手段】
【０００５】
上記課題を解決するため、気密ラインが障子の室内側に設けられている窓枠と、前記窓枠に配置され、且つ、障子の障子かまちに対向する網戸収納部と、前記網戸収納部と前記障子かまち間に配置される移動かまちと、前記網戸収納部に収納され、且つ、前記移動かまちに先端側が取付けられた網目部材と、前記移動かまちの走行範囲に対応させ、且つ、窓枠の上枠に設けられる走行ガイド部を備え、前記網目部材の上下端は、上下枠との間に隙間をもって、且つ、前記走行ガイド部及び下レールと上下枠の気密材取付ヒレ間に位置されることを特徴とするサッシ窓とした（請求項１の発明）。
【０００６】
前記移動かまちは、前記障子かまちの移動に追随可能であることを特徴とするサッシ窓とした（請求項２の発明）。
さらに、前記網目部材が開幕される場合に、その上下端に対向しつつ前記隙間を塞ぐことができる虫除け材を上下枠に備えたことを特徴とするサッシ窓とした（請求項３の発明）。
【発明の効果】
【０００７】
本発明によれば、引寄せタイプのサッシ窓において、移動かまちのスムースな走行を可能にするため前記移動かまちの走行範囲に対応させて、窓枠の上枠に走行ガイド部を設けたので、引寄せタイプのサッシ窓において網目部材の開閉幕を円滑に行うことができ、また網目部材の開閉と障子の開閉を連動させて使い勝手が良いサッシ窓とすることができる。
【発明を実施するための最良の形態】
【０００８】
本発明に係るサッシ窓の実施形態を図面に基いて説明する。
図１〜図３はそれぞれ網戸装置を取付けたテラスタイプのサッシ窓の正面図であって、図１は障子閉鎖状態の正面図、図２は外障子を開放し網目部材を開幕させた換気状態の正面図、図３は内障子を開放し網目部材を開幕させた換気状態の正面図である。
図４は図１に対応する横断面図、図５（Ａ）は図４のＡ−Ａ線縦断面の説明図、図５（Ｂ）は図４のＢ−Ｂ線縦断面の説明図、図６（Ａ）は図４中の気密片を、図６（Ｂ）は図５中の気密片をそれぞれ示したものである。これらの各図及び後述の各図において、同一の構成は同一の符号を付して重複した説明を省略する。
【０００９】
前記サッシ窓は、図１〜図３に示したようにテラスタイプの引寄せのサッシ窓であって、図４〜図６に図示された気密ラインを形成する気密片４９が内外障子２、３の室内側に設けられている窓枠４に、図４等のように網戸装置１を組込む共に、図５（Ａ）及び図５（Ｂ）のように窓枠４の上枠４３に網戸装置１を構成する移動かまち６の走行用の走行ガイド部４１Ａ、４１Ｂを設けたものである。
なお、前記サッシ窓は、内外障子２、３が施錠時に図示しない引寄せ機構によって室内側に引寄せられ、前記気密片４９に圧接されることで、気密、水密、遮音性能を発揮する。
網戸装置１は、図４に示したように、内外障子２、３の各障子かまち２０、３０に対向する窓枠４の対向面４０に配置される網戸収納部としての網戸収納ケース５、５と、このケース５、５と前記各障子かまち２０、３０間に配置され、且つ、前記各障子かまち２０、３０の移動に追随する移動かまち６、６と、前記網戸収納ケース５、５に収納され、且つ、前記移動かまち６、６に先端側が取付けられた網目部材７からなる。
なお、前記網戸装置１は、後述の図１１等に示したように、前記各障子かまち２０、３０に対し、前記移動かまち６、６を着脱自在に操作可能な網戸キャッチ８及び受け８Ａを設けて構成されている。
【００１０】
前記走行ガイド部４１Ａは、図５（Ａ）のように、内障子２側に組み込まれた網戸装置１の移動かまち６の走行用のもので、前記移動かまち６の走行範囲において上枠４３に着脱自在に設けられている。
一方、走行ガイド部４１Ｂは、図５（Ｂ）のように、外障子３側に組み込まれた網戸装置１の移動かまち６の走行用のもので、前記移動かまち６の走行範囲において上枠４３に着脱自在に設けられている。
実施形態のサッシ窓は引寄せタイプの構成であって、内外障子２、３の走行用の各走行ガイド部は引寄せを妨げるものとして必要でなく、移動かまち６、６が走行しない上枠４３には設けられていない（図５（Ａ）及び図５（Ｂ）参照）。
なお、移動かまち６、６の走行用の下レール４２は、それぞれ下枠４４に設けられている。この下レール４２は、各障子２、３の走行用のレールを兼用するものである。
【００１１】
前記走行ガイド部４１Ａ、４１Ｂが設けられる位置は、前記各下レール４２の略鉛直線上にある。よって、移動かまち６、６が前記各障子かまち２０、３０の移動に追随する場合にも、また移動かまち６、６が単独で移動する場合にも円滑な走行が可能となり、網目部材７のスムースな開閉幕を可能にしている。
各移動かまち６の上端に形成されている走行ガイド部４１Ａ、４１Ｂ用の走行用溝６１、６２は、走行ガイド部４１Ａ、４１Ｂにフィットするように構成されている。
前記各障子かまち２０、３０の上端部にＵ字状溝２１、３１が形成されているが、これは移動かまち６、６が前記各障子かまち２０、３０の移動に追随する場合に、走行ガイド部４１Ａ、４１Ｂが前記各障子かまち２０、３０の走行の妨げとならないようにするためである。
このＵ字状溝２１、３１は、各障子２、３の引寄せにより、若干傾斜してもその傾斜が妨げられないように、走行ガイド部４１Ａ、４１Ｂに対し、所定の遊びが設けられている。
なお、上述のように、引き寄せタイプの内外障子２、３には走行ガイド部は不要である。よって、走行ガイド部４１Ａ、４１Ｂの各先端が各障子２、３の上端部に当たらないような長さ寸法にして、前記Ｕ字状溝２１、３１を形成しなくてもよい。
【００１２】
前記内外障子２、３及びこれらに配置されている各網戸装置１は略同一の構成であるので、内障子２または外障子３の何れか一方の網戸装置１の構成例を説明する。
【００１３】
前記網戸収納ケース５は、詳細図示は省略するがケースの上端が窓枠４の上枠４３に対向するように、下端が窓枠４の下枠４４に接する長尺状のものである。ケース内に、基端が回転軸に取付けられその先端が前記移動かまち６に取付けられ、且つ閉幕される方向に常時付勢される網目部材７を収納している。かかる網目部材７は、前記移動かまち６をスライドさせることにより前記ケース５の出没口５０１から開幕及び閉幕可能になっている。
【００１４】
前記移動かまち６は、その上下端が前記網戸収納ケース５より若干短い長尺状のもので、図４のように網目部材７の先端をプレート７２により折曲げて取付けることができる取付部６００を備え、走行ガイド部４１Ａ、４１Ｂ、下レール４２を走行可能に構成されている。
なお、前記移動かまち６が障子かまち３０に対向する框対向部６０２には、障子かまち３０側の網戸キャッチ８の鎌を受ける受け８Ａ（図１１参照）が複数箇所に設けられている。
そして、上記構成の移動かまち６と網戸収納ケース５とが当接する場合には、移動かまち６が前記網戸収納ケース５の出没口５０１を略塞ぐようになっている。
また、障子かまち３０の網戸キャッチ８と移動かまち６の受け８Ａが係合している場合には、移動かまち６が外障子３の開閉に追随して移動するようになっている。
【００１５】
実施形態に係るサッシ窓は、前記網目部材７が開幕された場合に、図７に示したようにその網目部材７の上下端７０、７１に対向しつつ、窓枠４の上下枠４３、４４間の隙間Ｇを塞ぐことができる虫除け材９を備えている。
前記虫除け材９は、網目部材７が開幕された場合に、その網目部材７の上下端７０、７１と窓枠４の上下枠４３、４４間に形成される隙間Ｇを塞ぐことができるもので、上下枠４３、４４に沿って、且つ、網目部材７の開閉幕の範囲内で配置される長尺状の部材である。
この隙間Ｇは、網戸収納ケース５を窓枠４の対向面４０に取付けたり、取外す場合に必要な間隙である。
前記網目部材７の上端７０と窓枠４の上枠４３間の隙間Ｇを塞ぐ虫除け材９は、図７に図示されているように、上枠４３の取付溝４３０に圧入される圧入部９０と、網目部材７の上端７０に向って下方に対向する下対向部９１からなり、この下対向部９１の先端は形状を安定させるために略円筒状に形成されている。
実施形態の虫除け材９はゴムまたは合成樹脂にて、且つ圧入部９０の硬度が高く、一方下対向部９１の硬度が低い２色成形により形成されているが、硬度が同じものでも防虫効果は変わらない。
【００１６】
前記虫除け材９の下対向部９１の先端と対向する前記網目部材７の上端７０間には隙間ｇが形成されているが、この隙間ｇは前記網目部材７の上端７０が下対向部９１の先端を擦らないようすると共に、前記移動かまち６の走行を円滑に行えるようにするもので、虫等の室内への侵入が困難な幅、例えば約１．５ｍｍとなっている。
【００１７】
前記虫除け材９は、上枠４３に沿って配置されているが、その具体的な位置は、開閉幕される前記網目部材７の上端７０の位置に対応させる。
この実施形態では、前記網目部材７の上端７０が前記走行ガイド部４１Ａ又は４１Ｂと前記気密材取付ヒレ４８間で開閉幕されるようしている。これは、室外側からの強い風圧（正圧）に対して、網目部材７の上端７０が前記走行ガイド部４１Ａ又は４１Ｂを乗り越えて捲れることを避けるためである。よって網目部材７の上端７０が前記走行ガイド部４１Ａ又は４１Ｂに捲れたまま開閉幕されることもなく、網目部材７の保護を図ることができる。一方、室内側からの風圧（負圧）に対して、網目部材７の上端７０は前記走行ガイド部４１Ａ又は４１Ｂの側面に当ることで柔軟に対応させることができる。
このような風圧対策と虫除け材９による防虫対策を両立させるため、虫除け材９も走行ガイド部４１Ａ又は４１Ｂと窓枠４の気密材取付ヒレ４８間に、前記網目部材７の上端７０と突合せつつ、略鉛直線上に配置されている。
【００１８】
なお、内障子２用の網目部材７の上端７０は、前記走行ガイド部４１Ａの室内側面に近接され、一方、外障子３用の網目部材７の上端７０は、より気密材取付ヒレ４８に近づいて位置されている。
【００１９】
前記網目部材７の下端７１と窓枠４の下枠４４間の隙間Ｇを塞ぐ虫除け材９は、図８に図示されているように、下枠４４の取付溝４３０に圧入される圧入部９０と、網目部材７の下端７１向って上方に対向する上対向部９２からなり、この上対向部９２の先端は略円筒状に形成され、その強度が補完されている。この他の構成及び効果は、前記虫除け材９の構成及び効果と同様である。
【００２０】
また図９及び図１０に図示したように、虫除け材９の下対向部９１と上対向部９２をそれぞれ複数本にしてもよい。
この場合、風圧による前記網目部材７の上下端７０、７１の移動変位に、複数本の下対向部９１と上対向部９２が対処できるため、風圧対策と虫除け材９による防虫対策を効果的に両立させることができる。
なお、風圧対策と虫除け材９による防虫対策を効果的に両立させるため、虫除け材９と開閉幕される前記網目部材７の上下端７０、７１の位置を、図面上左右に移動させつつ、複数本の下対向部９１と上対向部９２の内、最も適切な下対向部９１と上対向部９２を選択して調整してもよい。
【００２１】
前記網戸キャッチ８は、図１１及び図１２に図示したように、内外の操作レバー８０、８１と、それらの脚部８００、８１０に固定されたキャッチ本体８２と、この本体８２に連結された連動プレート８３と、この連動プレート８３に固定された鎌８４と、連動プレート８３の昇降をガイドする連動プレートガイド８５からなる。前記連動プレート８３には図示されていない他の鎌が固定され、前記内外の操作レバー８０、８１の昇降動作に連動して上下の鎌８４等が昇降され、前記受け８Ａ、８Ａと鎌８４等との係合操作がされるようになっている。なお、前記網戸キャッチ８の鎌８４及び前記受け８Ａは、前記走行ガイド部及び下レール４２が形成する平面内に略位置している。また符号「４７」の部材は、障子かまち３０と窓枠４との気密状態を向上させるために、障子かまち３０を窓枠４に引寄せるための金具である。
【００２２】
以上のように構成された網戸装置１では、次のように効果を奏する。
１．走行ガイド部４１Ａ、４１Ｂと、各障子２、３及び各移動かまち６、６の走行用の各下レール４２を略鉛直線上に設けたので、移動かまち６、６が前記各障子かまち２０、３０の移動に追随する場合にも、また移動かまち６、６が単独で移動する場合にも円滑な走行が可能となっている。
２．各移動かまち６、６は、内外障子２、３を施錠する際に作用する気密片４９に対する引寄せに関与するものではなく、また、前記各障子かまち２０、３０の上端部のＵ字状溝２１、３１は、走行ガイド部４１Ａ、４１Ｂに対し所定の遊びが設けられているので、走行ガイド部４１Ａ、４１Ｂは、内外障子２、３の気密片４９に対する引寄せを妨げるものではない。
３．窓枠４のたて枠４５側にフィンがなく、窓枠４の対向面４０に網戸収納ケース５を密着させて当接させることができる。
４．外障子３が走行する窓枠４の上枠４３には、外障子３の網戸に対するブレを防ぐヒレを設ける必要がない。
５．前記隙間Ｇ（図５参照）が形成されているので、カセット式の網戸収納ケース５の着脱等が容易に行えてメンテナンス等の必要性を満たしつつ、虫除け材９により前記隙間Ｇを塞ぐことができるので、防虫効果が発揮される。
６．開閉幕される前記網目部材７の上下端７０、７１は、前記走行ガイド部及び下レール４２と前記気密材取付ヒレ４８間に位置されるので、室外側からの強い風圧に対して、網目部材７の上下端７０、７１が前記走行ガイド部及び下レール４２を乗り越えて捲れることもなく、また気密材取付ヒレ４８の室外側側面に接することとなる。よって網目部材７の上下端７０、７１が前記走行ガイド部及び下レール４２に捲れたまま開閉幕されることもなく、その保護を図ることができる。
７．一方、室内側からの風圧に対して、網目部材７の上下端７０、７１が前記走行ガイド部及び下レール４２に接するように柔軟に対応させることができ、その保護を図ることができる。
８．虫除け材９の下対向部９１と上対向部９２が網目部材７の上下端７０、７１に突き合さる位置にあるので、防虫効果及び対風圧対策とすることができる。
９．虫除け材９の下対向部９１と上対向部９２をそれぞれ複数本にした場合には、風圧による前記網目部材７の上下端７０、７１の移動変位に、複数本の下対向部９１と上対向部９２が対処できるため、風圧対策と虫除け材９による防虫対策をより効果的に両立させることができる
１０．前記網戸キャッチ８と受け８Ａは、通常は係合状態が維持されているので、使い勝手がよい網戸装置となっている。
【００２３】
上記実施形態は、走行ガイド部の形状が１本のレール状であるが、これに限定されるものではない。即ち、前記走行ガイド部は、移動かまちをスムースに走行させることができる形状であればどのような形状でもよく、例えば、コ字状、Ｌ字状のものでもよい。
また、走行ガイド部は、窓枠の上枠に対して、着脱自在に構成されているが、これに限定されるものではく、例えば形材を切欠き加工して、窓枠と一体的に構成してもよい。
また、テラスタイプの窓について使用する網戸装置の構成例を説明したが窓の構成はスライディング形式であればどのようなものでよい。例えば片引きタイプの窓でもよい。その他、窓に限定されるものでもなく、玄関等の建物の開口部にも取付けることができる。
前記障子かまちに対向する窓枠に配置される網戸収納部は、カセット式のように窓枠と別体のものでもよし、窓枠と一体のものでもよい。
前記移動かまちは障子かまちの移動に追随可能であって、移動かまちのみを走行させてもよい。
前記網戸装置は、ロール網戸には限定されず、その他、プリーツ状の網目部材のものでもよい。
【図面の簡単な説明】
【００２４】
【図１】網戸装置を取付けたテラスタイプ窓の正面図、
【図２】外障子を開放した換気状態の正面図、
【図３】内障子を開放した換気状態の正面図、
【図４】図１に対応する横断面図、
【図５】（Ａ）図４のＡ−Ａ線縦断面の説明図、（Ｂ）図４のＢ−Ｂ線縦断面の説明図、
【図６】（Ａ）図４中の気密片の説明図、（Ｂ）図５中の気密片の説明図、
【図７】虫除け材の詳細な説明図、
【図８】同詳細な説明図、
【図９】別例の虫除け材の詳細な説明図、
【図１０】同詳細な説明図、
【図１１】網戸装置を構成する網戸キャッチとその受けの断面図、
【図１２】同網戸キャッチの要部断面図である。
【符号の説明】
【００２５】
１  網戸装置                            ２、３  内外障子
２０、３０  障子かまち                  ４  窓枠
５  網戸収納ケース                      ６  移動かまち
７  網目部材                            ８  網戸キャッチ
８Ａ  受け
９  虫除け材
２１、３１  Ｕ字状溝
４０  対向面
４１Ａ、４１Ｂ  走行ガイド部
４２  下レール                          ４３、４４  上下枠
４５  たて枠                            ４３０  取付溝
４８  気密材取付ヒレ
４９  気密片
５０１  出没口
６１、６２  走行用溝
６００  取付部                          ６０２  框対向部
７０、７１  網目部材の上下端
７２  プレート
８０、８１  内外の操作レバー
８００、８１０  脚部                    ８２  キャッチ本体
８３  連動プレート                      ８４  鎌
８５  連動プレートガイド
９０  圧入部                          ９１  下対向部
９２  上対向部
【図１】
0005344842.tif 000002
【図２】
0005344842.tif 000003
【図３】
0005344842.tif 000004
【図４】
0005344842.tif 000005
【図５】
0005344842.tif 000006
【図６】
0005344842.tif 000007
【図７】
0005344842.tif 000008
【図８】
0005344842.tif 000009
【図９】
0005344842.tif 000010
【図１０】
0005344842.tif 000011
【図１１】
0005344842.tif 000012
【図１２】
0005344842.tif 000013